(57)【特許請求の範囲】
【請求項１】
電解質５〜３０重量％を含む電解液を、電解槽中で、３〜１０ｍｍの間隔を保って前記電解槽内に配置された電極群を用いて、電流密度５〜２０Ａ／ｄｍ２、浴温２０〜７０℃、ｐＨ１４以上の条件下で、振動撹拌を与えながら電気分解し、これにより前記電解液中に発生したナノバブルを前記電解槽上部へと放出し、水素と酸素とが結合した状態にある水素と酸素からなるガスを生成させ、該水素と酸素からなるガスを、圧力０．１〜０．５ＭＰａとして−１９０〜−２５０℃に冷却して液化することを特徴とする、
−１９０〜−２５０℃、３〜３００ｋｇｆ／ｃｍ２の条件下で存在し、無色透明で、液化温度が−１７９℃で、−２５５℃でも結晶化しない水素と酸素からなる液状物を製造する方法。
【請求項２】
請求項１に記載の方法により製造された水素と酸素からなる液状物を加熱することを特徴とする、再気化ガスの製造方法。
【発明の詳細な説明】
【技術分野】
【０００１】
本発明は、振動攪拌を伴う電気分解により得られた水素と酸素からなるガスから出発して得られる水素と酸素からなる液状物、これから得られる水素と酸素からなる再気化ガス、これらの製造方法及び装置、並びにこれら液状物及び再気化ガスからなる炭酸ガスを発生しない燃料に関する。
【背景技術】
【０００２】
水を電気分解すると陰極から水素ガス、陽極から酸素ガスが発生する。水素エネルギー時代の到来で、昨今それがスポットライトを浴びている。しかし、従来法では、水素ガスを酸素ガスから分離して取り出し、酸素ガスを捨て水素ガスだけを利用するのが主流である。その理由は、水素ガスと酸素ガスを混合すると、２〜３気圧の低圧でも爆発するからである。通常、このガスを爆鳴気と言っている。そのため、水素・酸素混合ガスを加圧することは、日本国では一般高圧ガス保安規則第６条により禁止されているところである。【０００３】
従来から水素と酸素の混合ガスはブラウンガスと呼ばれており、この技術はオーストラリアのブラウン  エネルギー  システム  テクノロジー  ピー  ティー  ワイ社（Ｂｒｏｗｎ  Ｅｎｅｒｇｙ  Ｓｙｓｔｅｍ  Ｔｅｃｈｎｏｌｏｇｙ  ＰＴＹ．ＬＴＤ．）のユル・ブラウン博士（Ｄｒ．Ｙｕｌｌ  Ｂｒｏｗｎ）の開発にかかるものである。特許文献１を参照されたい。【０００４】
このブラウンガスは、特許文献２の第６頁第９欄５〜８行に記載されているように、５ｋｇｆ／ｃｍ２までの圧縮に耐え、加圧が多くなると水に戻ってしまう性質があることが知られている。【０００５】
一方、本発明者は、特許文献３〜５において、振動攪拌手段を用いて、水素・酸素ガスを製造する技術を提案しており、この方法により得られた水素と酸素からなるガスは、水素と酸素だけの成分であるにもかかわらず、従来公知の方法で得られた水素・酸素からなるガスに較べて不思議なことに極めて安定である。
【先行技術文献】
【特許文献】
【０００６】
【特許文献１】登録実用新案第３０３７６３３号公報
【特許文献２】特開２００２−３４８６９４号公報
【特許文献３】ＷＯ  ０２／０９０６２１  Ａ１
【特許文献４】ＷＯ  ０３／０４８４２４  Ａ１
【特許文献５】特開２００５−２３２５１２号公報
【発明の概要】
【発明が解決しようとする課題】
【０００７】
しかし、特許文献３〜５に示されるような技術を用いて生成したガスをそのまま使用するという態様のみでは、その使用範囲が大きく制約される。【０００８】
もし、振動攪拌を伴う水の電気分解により得られた水素と酸素からなるガスを液化、貯蔵し、それを再びガス化しても、初期ガスと同一の物性をもち、爆発の危険性のないガスという特性を保持していれば、その用途は無限に拡大することになる。【０００９】
本発明の第１の目的は、従来の水素と酸素を別々に液化している今日の技術を脱し、振動攪拌を伴う水の電気分解により得られた水素と酸素からなるガスから出発して、その特異な性質を失うことなく、水素と酸素の液状物を製造する方法と装置ならびにそれにより得られた水素と酸素からなる液状物を提供する点にある。【００１０】
本発明の第２の目的は、振動攪拌を伴う水の電気分解により得られた水素と酸素からなるガスの特異な性質を失うことなく、水素と酸素からなる液状物を製造して、これを必要な期間、液状物として保管し、必要な時点でこれを再ガス化する方法と装置ならびにそれにより得られた水素と酸素からなる再気化ガスを提供する点にある。【００１１】
本発明の第３の目的は、炭酸ガスを全く発生しない燃料を提供する点にある。
【課題を解決するための手段】
【００１２】
本発明によれば、上記第１の目的を達成するものとして、
電解質５〜３０重量％を含む電解液を、電解槽中で、３〜１０ｍｍの間隔を保って前記電解槽内に配置された電極群を用いて、電流密度５〜２０Ａ／ｄｍ２、浴温２０〜７０℃、強アルカリの条件下で、振動攪拌を与えながら電気分解し、これにより生成した水素と酸素からなるガスを冷却して液化することを特徴とする、水素と酸素からなる液状物の製造方法、
が提供される。【００１３】
本発明の一態様においては、前記水素と酸素からなるガスを液化するに際して該ガスの圧力を０．１〜０．５ＭＰａとして冷却する。本発明の一態様においては、前記水素と酸素からなるガスを液化するに際して−１９０〜−２５０℃に冷却する。本発明の一態様においては、前記強アルカリの条件はｐＨ１４以上の条件である。【００１４】
更に、本発明によれば、上記第１の目的を達成するものとして、
上記の水素と酸素からなる液状物の製造方法の実施に使用される装置であって、
（Ａ）電解槽、
（Ｂ）３〜１０ｍｍの間隔を保って前記電解槽内に配置された電極群、
（Ｃ）前記電解槽内の電解液を振動攪拌するための振動攪拌手段、
（Ｄ）生成した水素と酸素からなるガスを捕集するための捕集手段、及び、
（Ｅ）捕集された前記水素と酸素からなるガスを冷却して液化する手段、
を備えることを特徴とする、水素と酸素からなる液状物の製造装置、
が提供される。【００１５】
上記の水素と酸素からなる液状物の製造方法により製造された本発明の水素と酸素からなる液状物の一態様においては、水素と酸素が−１９０〜−２５０℃、３〜３００ｋｇｆ／ｃｍ２の条件下で液状物として存在している。尚、本明細書においては、圧力の単位としてＭＰａ及びｋｇｆ／ｃｍ２が使用されているが、これらの圧力は、実質上０．１ＭＰａが１ｋｇｆ／ｃｍ２に相当するものとして、記載している。【００１６】
本発明によれば、上記第２の目的を達成するものとして、
上記の水素と酸素からなる液状物の製造方法により製造された水素と酸素からなる液状物を、貯蔵し、その後ガス化することを特徴とする、水素と酸素からなる再気化ガスの製造方法、
が提供される。【００１７】
本発明の一態様においては、前記水素と酸素からなる液状物のガス化の際には、加熱を行う。本発明の一態様においては、前記加熱により前記液状物の温度を常温に戻す。【００１８】
更に、本発明によれば、上記第２の目的を達成するものとして、
上記の水素と酸素からなる再気化ガスの製造方法の実施に使用される装置であって、
（Ａ）電解槽、
（Ｂ）３〜１０ｍｍの間隔を保って前記電解槽内に配置されている電極群、
（Ｃ）前記電解槽内の電解液を振動攪拌するための振動攪拌手段、
（Ｄ）生成した水素と酸素からなるガスを捕集するための捕集手段、
（Ｅ）捕集された前記水素と酸素からなるガスを冷却して液化する手段、
（Ｆ）前記液化する手段により得られた液状物の貯蔵手段、及び、
（Ｇ）前記液状物を再びガス化する手段、
を備えることを特徴とする、水素と酸素からなる再気化ガスの製造装置、
が提供される。【００１９】
上記の水素と酸素からなる再気化ガスの製造方法により製造された本発明の水素と酸素からなる再気化ガスの一態様においては、水素と酸素が３〜３００ｋｇｆ／ｃｍ２の圧力下において実質的に反応することなく、それぞれがガス状で金属製容器中に安定的に存在している。【００２０】
本発明によれば、上記第３の目的を達成するものとして、
上記の水素と酸素からなる液状物または上記の水素と酸素からなる再気化ガスよりなり、燃焼に際して炭酸ガスを発生しないことを特徴とする燃料、
が提供される。
【発明の効果】
【００２１】
本発明によれば、振動攪拌を伴う水の電気分解により得られた水素と酸素からなるガス（初期ガス）から出発して、その特異な性質を失うことなく、水素と酸素の液状物を製造する方法と装置ならびにそれにより得られた水素と酸素からなる液状物が提供される。【００２２】
また、本発明によれば、以上のような水素と酸素からなる液状物を必要な期間、液状物として保管し、必要な時点でこれを再ガス化する方法と装置ならびにそれにより得られた水素と酸素からなる再気化ガスが提供される。【００２３】
更に、本発明によれば、以上のような水素と酸素からなる液状物または水素と酸素からなる再気化ガスからなり、炭酸ガスを全く発生しない燃料が提供される。【００２４】
振動攪拌を伴う水の電気分解により得られた水素と酸素からなる初期ガスを液化して水素と酸素からなる液状物を得、これを貯蔵し、それを再びガス化して得られる水素と酸素からなる再気化ガスは、初期ガスと同一の物性をもち、爆発の危険性が極めて少ない。従って、本発明による水素と酸素からなる液状物及び水素と酸素からなる再気化ガスの用途は極めて広範なものとなる。
【図面の簡単な説明】
【００２５】
【図１】実施例で用いた振動撹拌手段を備えた電解装置の模式的断面図である。
【図２】図1の電解装置の上面図である。
【図３】ＳＵＳ３０４製ボンベの断面図である。
【図４】図３のＳＵＳ３０４製ボンベの上面図である。
【図５】図３のＳＵＳ３０４製ボンベの側面図である。
【図６】ガス圧縮装置の構成図である。
【図７】実施例で用いた燃焼装置の構成図である。
【図８】振動攪拌下での電気分解により得られた水素と酸素からなるガスを燃焼させて得られる火炎の状態を示す図である。
【図９】振動攪拌下での電気分解により得られた水素と酸素からなるガスを燃焼させて得られる火炎によるチタン板の溶融、気化状況を示す図である。
【図１０】振動攪拌下での電気分解により得られた水素と酸素からなるガスを燃焼させて得られる火炎によるタンタル板の溶融、気化状況を示す図である。
【図１１】振動攪拌下での電気分解により得られた水素と酸素からなるガスを燃焼させて得られる火炎によるタングステン棒の溶融、気化状況を示す図である。
【発明を実施するための形態】
【００２６】
本発明においては、電解液を電解槽中で振動攪拌を与えながら電気分解し、これにより水素と酸素からなる初期ガスを生成する。このような初期ガスの生成に際しては、本発明者の発明に係る日本国特許第１９４１４９８号、第２７０７５３０号、第２７６２３８８号、第２７６７７７１号、第２８５２８７８号、第２９１１３５０号、第２９１１３９３号、第３０３５１１４号、第３１４２４１７号、第３１９６８９０号、第３３２０９８４号、第３８５４００６号、特開平１０−３０９４５３号公報、特開平１１−２５３７８２号公報、特開２０００−３１７２９５号公報、特開２００１−２８８５９１号公報、特開２００２−５３９９９号公報、特開２００２−１２１６９９号公報、特開２００２−１４６５９７号公報、特開２００５−２３２５１２号公報、ＷＯ  ０２／０９０６２１  Ａ１、ＷＯ  ０３／０４８４２４  Ａ１、ＷＯ  ２００４／０９２０５９  Ａ１などの特許文献に記載の技術を用いることができる。
【００２７】
振動攪拌条件は、前記特許文献に記載されている条件で実施することができる。
【００２８】
また、電気分解は、前記特許文献に記載されている条件で実施することができるが、とくに本発明においては、電解液として電解質５〜３０重量％を含むものを使用し、電極群を３〜１０ｍｍの間隔を保って電解槽内に配置し、電流密度５〜２０Ａ／ｄｍ２、浴温２０〜７０℃、強アルカリの条件を用いる。
【００２９】
本発明に用いる電解質としてはとくに制限はないが、通常、ＮａＯＨ、ＫＯＨなどを挙げることができる。また、これらの電解質を溶解して電解液を作るのに用いる水としては、どのような水でもよいが、通常は、イオン交換水か蒸留水を用いる。電解液における電解質の濃度については、とくに制限はないが、一般に３０重量％以下、好ましくは２５重量％以下であり、１５〜２５重量％程度が最も好ましい。本発明において、電解質が５重量％より少ないと電流の流れが少なくなり抵抗が増大し、電流効率が低下しさらに温度上昇を引き起こし初期ガス発生量の低下をさらに招くことになる。又、３０重量％より多すぎると極板に電解質が析出し結果として電解効率が低下することになる。
【００３０】
本発明において、電流密度を上げれば電解効率が上がり、好ましい面もあるが同時に浴温上昇を招き、逆に初期ガス発生量が低下することになる。本発明では、多くの実験結果から５〜２０Ａ／ｄｍ２の範囲が総合的にみて好適であることが判明している。
【００３１】
本発明において、浴温は長時間の運転、発生量、電解効率等を考慮し、多くの実験結果から２０〜７０℃の範囲が好適であることが分っている。
【００３２】
ｐＨは、使用する電解質により左右される。好ましいｐＨ値は電解質、電流密度、浴温と相関関係にある。本発明においては、使用する電解質、電流密度、浴温等を各種条件で実験を重ねた結果、好ましくはｐＨ１４以上の強アルカリ下において、効率が最も良い結果が得られている。
【００３３】
本発明においては、好ましくは電極群を構成する電極を一定の間隔に保つが、この間隔は３〜１０ｍｍ、好ましくは３〜５ｍｍである。なお、電極群を構成する電極の数は、好ましくは４枚以上１０００枚以下である。
【００３４】
以上のようにして生成した水素と酸素からなる初期ガスは、３〜３００ｋｇｆ／ｃｍ２に圧縮することができる。初期ガスの圧力を３〜３００ｋｇｆ／ｃｍ２に高圧縮することにより貯蔵装置（タンク、ボンベなど）の小型化が可能となり、搬送、搭載が容易に行える。また、この３〜３００ｋｇｆ／ｃｍ２の圧縮圧力範囲が初期ガスの実用化に適している。本発明においては、初期ガスを液化するに際して、該初期ガスの圧力を０．１〜０．５ＭＰａ（好ましくは０．１〜０．３ＭＰａ）とし、−１９０〜−２５０℃に冷却する。すなわち、初期ガスがこの範囲より高い圧力で保存されていた場合には、初期ガスの圧力を０．１〜０．５ＭＰａに低下させて、冷却を行う。
【００３５】
上記の水素と酸素からなる液状物の製造方法の実施に使用される装置における、（Ａ）電解槽、（Ｂ）３〜１０ｍｍの間隔を保って電解槽内に配置されている電極群、（Ｃ）電解槽内の電解液を振動攪拌するための振動攪拌手段、及び、（Ｄ）生成した水素と酸素からなるガスを捕集するための捕集手段、については、上記特許文献に記載のものと同等のものを使用することができる。
【００３６】
また、（Ｅ）捕集された前記水素と酸素からなるガスを冷却して液化する手段、については、後述のような圧縮装置と冷却媒体として液体ヘリウムを用いた冷却装置との組合せを使用することができる。
【００３７】
振動撹拌を伴う電気分解で得られた水素と酸素からなる初期ガスをステンレススチール製容器に０．５４ＭＰａの圧力で貯蔵し、そして液体ヘリウムで−２２２℃に冷却して液化したところ、冷却による圧力降下以上の圧力降下があり、−０．０３ＭＰａまでになった。この簡易テストからも分る様に冷却による体積縮小以上に圧力が降下したという事実は、このガスが安全に液化したことを証明している。それ故、上記初期ガスは、ブラウンガスの様に水素と酸素が分子状態で混合されているとは言えず、水素と酸素が何らかの共有結合をしているものではないかと考えられる。
【００３８】
この事実は、初期ガスを２０〜３０ＭＰａまで安全に高圧縮することができ、またステンレススチール製のボンベを用いた６ヶ月に亘る圧縮貯蔵によっても何ら圧力降下がなかった現象と一致しているものと考えられる。
【００３９】
本発明においては、上記の水素と酸素からなる液状物を、所望の期間貯蔵し、必要に応じて、その後ガス化（再気化）して再気化ガスを得る。液状物のガス化の際には、加熱（冷却媒体除去などに基づく自然昇温を含む）を行い、好ましくは、加熱により液状物の温度を常温に戻す。
【００４０】
上記の水素と酸素からなる再気化ガスの製造方法の実施に使用される装置における（Ａ）乃至（Ｅ）については上述のものを使用することができる。
【００４１】
また、（Ｆ）液化する手段により得られた液状物の貯蔵手段、としては、ステンレススチール等の金属製の容器（ボンベ、タンク）を使用することができる。（Ｇ）液状物を再びガス化する手段、としては、大気中へと液状物を吐出させるノズルまたはバーナー等の吐出装置を使用することができる。
【００４２】
水素と酸素からなる初期ガスを、北海道大学や名古屋大学に依頼して成分分析したところ、この初期ガスには、水素ガス（Ｈ２）や酸素ガス（Ｏ２）以外に原子状の水素（Ｈ）、酸素（Ｏ）、水酸基（ＯＨ）や重水素（Ｄ）などが混在していることが確かめられた。このように、本明細書及び請求の範囲における再気化ガスまたは液状物さらには初期ガスを修飾する「水素と酸素からなる」の意味は、水素原子（重水素原子、三重水素原子などを含む）及び酸素原子を構成要素として有する物質からなることである。
【００４３】
本発明の再気化ガスは、その一態様において、特開２００５−２３２５１２号公報に記載の水素−酸素混合ガスと同様な組成を有する。
【００４４】
ここで、なぜ、振動撹拌という物理的操作だけで水素ガスや酸素ガス以外の副成分が混在するようになったのか、について考察する。この疑問を解く鍵は、常温常圧下の振動撹拌を伴う電解で発生するガスのナノバブル化にある。ナノバブル化こそが従来科学を超える新しい化学反応を起こさせ、さらにはそれが非爆発性の共有結合ガスの生成をもたらすことにつながったと考えられる。
【００４５】
また、水素と酸素からなるガスであるにもかかわらず爆発しないのは、これら副成分ガスが、人工的な強制を伴わず自然のプロセスとしてバランスよく生成されるので、水素と酸素との反応により爆発するのを防止するバッファーの役割を果たしているからだと考えられる。
【００４６】
本発明による振動撹拌を伴う電気分解と従来からの電気分解とでは、発生する泡の大きさが非常に異なっている。従来法による電気分解では、酸素ガスや水素ガスが形成する泡は大きさが１〜５ｍｍφで目視できる程度のものである。これに対して、本発明による振動撹拌を伴う電気分解では、気泡は肉眼では確認できない５〜７００ｎｍ、たとえば２０〜７００ｎｍまたは５〜２００ｎｍの大きさであり、水全体があたかも「牛乳状」の感じを示す状態となる。
【００４７】
例えば、１０００ｍｍ×２０００ｍｍの開口を有する電解槽を用いて、電気分解中の電解液上でスパークを発生させる場合、通常の電気分解の場合だとスパーク時に水素ガスと酸素ガスの爆発がおこり大変危険であるが、本発明の振動撹拌を伴う電気分解により得られた水素と酸素からなるガスの場合にはスパークさせても全く爆発は起こらない。
【００４８】
通常の電気分解による水素は、金属ボンベ（実例はステンレススチール製ボンベを用いているが、鋼鉄製、鋳鉄製、アルミニウム合金製などの金属ボンベでもよい）内に貯蔵する際に、水素によりボンベ自体が脆化したり、水素が金属ボンベを透過して離脱するので、長期保管が不可能であるが、振動撹拌を伴う電気分解により得られた水素と酸素からなるガスは、高圧で圧縮できる（２００ｋｇｆ／ｃｍ２：２０ＭＰａまで爆発せずに圧縮できた）ばかりでなく、ステンレススチール製ボンベに圧縮保管された１０ＭＰａの水素と酸素からなるガスは６ヶ月という長期間保存しても全く何の水素漏洩もなく又、圧力も当初の１０ＭＰａを保っていたという実績がある。
【００４９】
ブラウンガスがそうであったように、振動攪拌を伴う電気分解で得られた水素と酸素からなる混合ガスの場合もこれを液化してしまえば、その特徴が失われ、単なる水になってしまうと考えるのが従来の常識である。
【００５０】
ところが、振動攪拌を伴う電気分解により得られた水素と酸素からなるガスを、５ｋｇｆ／ｃｍ２に圧縮し液体ヘリウムを用いて−２２０℃に冷却して液化しても、単なる水に戻ることなく、これを再びガス化したものも初期ガスと同等の物性を持つガス（再気化ガス）に戻り、その特異な性質を再び発揮するという驚くべき特性を有することが見出されたのである。
【００５１】
ブラウンガスは０．２ＭＰａ以上に圧縮すると水素ガスと酸素ガスの分子摩擦により爆発することが知られているが、上記のように、振動撹拌を伴う水溶液の電気分解により得られた水素と酸素からなるガスは、２０〜３０ＭＰａという高い圧縮状態においても安定的に長期保存が可能で爆発をおこさない特異な性質をもち、これらのすばらしい特性は、これを液化したのち、再ガス化しても全く失われない。すなわち、本発明の再気化ガスにおいては、水素と酸素が３〜３００ｋｇｆ／ｃｍ２の圧力下において実質的に反応することなく、それぞれがガス状で容器中に安定的に存在し得る。また、本発明の液状物は、−１９０〜−２５０℃、３〜３００ｋｇｆ／ｃｍ２の条件下で液状物として存在し得る。
【００５２】
従来のロケット用燃料は危険性がある為に水素と酸素を別々のタンクで圧縮、液化し貯蔵しており、使用直前に噴射混合している。それにもかかわらず、度々爆発事故を起こしていることは事実である。本発明の水素と酸素からなるガスは、水素と酸素の分子状態で混合しているのではなく、何らかの結合状態で安定に存在しており、ガス化や液化を繰り返すことができ、従来の液体水素と液体酸素とを噴射混合する燃焼方式よりはるかに取り扱いが安全で長期保存も可能なロケット用燃料への適用が可能である。これにより宇宙工学分野で飛躍的な貢献が出来るであろう。
【００５３】
しかも、本発明の水素と酸素からなる液状物または再気化ガスを燃焼させても、炭酸ガスを全く発生しないから、理想的なクリーンエネルギー源となる。また燃焼の結果発生するものは水であるから、本発明の水素と酸素からなる液状物または再気化ガスを燃焼させることで、人類にとって必要不可欠な物質を供給することになる。
【００５４】
本発明の水素と酸素からなる液状物または再気化ガスからなる燃料は、多量の水を含んだ油とのエマルジョン（水の含有量７０％）を燃焼させる能力を有する。
【００５５】
本発明の水素と酸素からなる液状物または再気化ガスを使用すると、タングステンを僅か１秒程度の加熱で気化させることができる。これは本発明の水素と酸素からなる液状物または再気化ガスが極めて高いエネルギーを持っていることを示している。
【００５６】
このように本発明の水素と酸素からなる液状物または再気化ガスが極めて高いエネルギーを持っているため、このガスの使用により元素変換を生じさせる可能性を秘めている。
【００５７】
本発明の水素と酸素からなる液状物または再気化ガスを製造する装置は、得られる液状物または再気化ガスの爆発の危険性が極めて低いので、電極間に隔膜を設ける必要がない。
【００５８】
また、本発明の水素と酸素からなる液状物または再気化ガスは、燃料電池用燃料として有用であり、純水素を燃料として使用する場合より約５〜７％起電力が大きいという結果が得られている。
【００５９】
とくに、本発明の水素と酸素からなる液状物または再気化ガスは、ガス発電機のエネルギー源としても有用である。たとえば、ポータブルガス発電機に本発明の水素と酸素からなる液状物または再気化ガスを０．２Ｍｐａに圧力調整し、ガス発電機に供給して発電を行ったところ、エンジンが快適に作動し１００Ｗの電球を点灯することができた。ゆえに、ガス発電機のエネルギー源としてとしての使用が期待される。
【００６０】
本発明の水素と酸素からなる液状物または再気化ガスは、自動車やその他のエンジンの燃料として、高圧縮された状態でそのまま使用することができる。これにより、ＣＯ２削減を短期間で大幅に実現し、地球温暖化防止をいち早く実現することができる。
【００６１】
又、本発明の水素と酸素からなる液状物または再気化ガスは、現在の都市ガスやプロパンガスにとって代わる家庭用等の新クリーン燃料として使用することができる。その実現が近い将来期待される。
【実施例】
【００６２】
以下に実施例を挙げて本発明を説明するが、本発明はこれにより何ら限定されるものではない。【００６３】
図１〜図２に示す振動撹拌手段を備えた電解装置（ガス発生装置）を用いた。これは、市販の商品名「水素・酸素ガス（ＯＨＭＡＳＡ−ＧＡＳ）発生装置」（日本テクノ株式会社製）に相当する。この装置の電解槽に常温の１５重量％のＫＯＨ水溶液を仕込み、振動撹拌手段を駆動させて振動羽根に３５〜５０Ｈｚの振動を与えながら、装置仕様に従って電気分解を行った。振動羽根による振動撹拌の結果、互いに対面するように配置された複数の電極からなる電極群（セル）上の電解発生ガスは、目視できないほどの小さい気泡、すなわちナノサイズの気泡となって分散し、そのまま電解槽上部へ放出される。水素と酸素からなるガスの燃焼炎が目視できるようにするため、生成した水素と酸素からなるガスをアルコール槽を通した後、燃焼させるシステムを採用した。【００６４】
なお、このアルコール槽を通す理由は、燃焼温度の調節並びに水素と酸素からなるガスを燃焼した場合、このガスが無色透明であり、炎を目視確認できず危険であるために、アルコール槽を通して目視可能な状態にするためである。したがって、燃焼ガスが目視できなくても問題がない場合は、アルコール槽は不要である。【００６５】
前記方法により製造した水素と酸素からなるガスについて、独立行政法人建築研究所において、下記の圧縮試験、漏洩試験、落下試験をそれぞれ行った。【００６６】
＜圧縮試験＞
図３〜図５に示すステンレススチール（ＳＵＳ３０４）製のボンベに振動撹拌による水の電気分解により得られた水素と酸素からなるガスを３〜２０ｋｇｆ／ｃｍ２の圧力をかけて注入する低圧圧縮試験を行ったが爆発しなかった。【００６７】
具体的な低圧圧縮試験は、図６の装置を用い、下記のとおり行った。なお、図６は、低圧圧縮試験開始前の状態を示し、各バルブの状態は以下の通り、
バルブＡ：閉
バルブＢ：閉
バルブＣ：開
バルブＤ：開
バルブＥ：閉
バルブＦ：開
バルブＧ：開
バルブＨ：閉
バルブＩ：開
その他のバルブ：閉
である。【００６８】
上記の状態に各バルブがなっていることを確認後、以下の操作手順に従って低圧圧縮試験を行った。【００６９】
＜操作手順１＞
バルブＢを開、バルブＥを開、バルブＦを閉、バルブＨを開、バルブＩを閉とし、次に水素と酸素からなるガスの発生装置との接続口に水タンク配管（点線にて表示）を接続し、低圧ブースターポンプで低圧タンクおよび高圧タンクに水を送り、両タンク内の空気を排出する。排出が完了したらバルブＢを閉とする。【００７０】
＜操作手順２＞
操作手順１で接続した水素と酸素からなるガスの発生装置との接続口の水タンク配管（点線にて表示）を切り離し、ここに水素と酸素からなるガスの発生装置からのガス配管を接続する。【００７１】
バルブＣを閉、バルブＡを開とし、次にバルブＢを開として水素と酸素からなるガスを送り、高圧、低圧タンク内の水を排出する。水の排出が完了したら、バルブＡを閉めて各タンクの圧力が０．２ＭＰａになるまで水素と酸素からなるガスを注入する。完了したらバルブＢを閉じる。【００７２】
なお、高圧に圧縮する手順は以下のとおりである。【００７３】
＜操作手順３＞
バルブＣを開き、低圧ブースターポンプで低圧タンクに水を送り、タンク内のガスを１．８ＭＰａまで圧縮する。圧縮が完了したら、バルブＤ、Ｅを閉じる。【００７４】
＜操作手順４＞
バルブＦを開とし、高圧ブースターポンプで容量の大きい方の高圧タンクに水を送り、ガスを圧縮し、容量の小さい方の高圧タンク内を１０ＭＰａまで圧縮する。さらに２〜２０ＭＰａの高圧まで圧縮するために、バルブＤ、Ｅを開とし、容量の大きい方の高圧タンク内の水を低圧タンクに排出し、完了したらバルブＤ、Ｅを閉とする。この操作手順４の操作を繰り返して所定の圧力まで加圧を行う。この手順に従い、実際に２０〜２００ｋｇｆ／ｃｍ２の高圧圧縮試験を行ったが、やはり爆発しなかった。【００７５】
この実験により、従来の水素と酸素の混合ガスは３ｋｇｆ／ｃｍ２になると爆発したが、振動撹拌を伴う水の電気分解により得られた水素と酸素からなるガスは爆発しないことが証明された。【００７６】
＜漏洩試験＞
平成１５年１０月８日、「振動撹拌を用いた電気分解により得られた水素と酸素からなるガス」をステンレススチール（ＳＵＳ３０４）製ボンベに１００ｋｇｆ／ｃｍ２の高圧に圧縮し更に冷却（但し液状化しない程度の温度への冷却）して充填し、この状態のまま平成１６年３月８日までの約半年間貯蔵した。この間、圧力計の目盛りは１００ｋｇｆ／ｃｍ２を指示したままで、全く変化がなかった。【００７７】
又、ボンベにセットされている圧力計のねじ部のシールも、普通のテフロン（登録商標）にて行ったが、この部分からのガスの漏洩も全く無いことが判明した。【００７８】
通常の純水素の場合、容易に漏れて圧力が低下するのに比べ、振動撹拌を伴う電気分解で得られた水素と酸素からなるガスは優れた貯蔵特性を有していることがわかる。また、このことは水素と酸素が独立してガス状態にあるのではなく、新しい水素と酸素の化合物が存在する可能性があることを示唆している。【００７９】
＜落下試験＞
前記ステンレススチール製ボンベに水素と酸素からなるガスを１ＭＰａに充填し高さ５ｍの位置から落下させたが、爆発などの現象は起きなかった。【００８０】
尚、１０ＭＰａに圧縮された水素と酸素からなるガスを充填したステンレススチール製ボンベ（３．８Ｌ）を自動車に搭載し、該自動車を特定構内の周回走行路上にて時速約２００ｋｍに達するまで一般路上と同様の振動を与えながら数回に亘り周回運転を行ったが、ボンベ自体や充填ガスの圧力などに何等の異常も発見されなかった。【００８１】
＜燃焼試験＞
（１）高融点金属の燃焼試験：
図９〜１１に溶融温度の高い金属類の燃焼状態を示す。燃焼試験には、図７に示す装置を用いた。【００８２】
まず、図８の写真は、振動撹拌による電気分解により得られた水素と酸素からなるガスの火炎の様子であるが、赤い炎の酸素が青い炎の水素を挟み込むサンドイッチ構造を呈しており、火炎は爆発もなく、静かに青白く安定して燃焼状態を示していた。【００８３】
図９は、チタン（融点  １６６７℃）板と水素と酸素からなるガスの燃焼による火炎との間隔を約１０ｍｍとして燃焼させたケースを示すが、チタン板は瞬時に溶融、気化した。【００８４】
図１０は、タンタル（融点  ２９８０℃）板と水素と酸素からなるガスの燃焼による火炎との間隔を約１０ｍｍとして燃焼させたケースを示すが、タンタル板は２〜３秒で溶融、気化した。【００８５】
図１１は、タングステン（融点  ３３８０℃）棒と水素と酸素からなるガスの燃焼による火炎との間隔を約１０ｍｍとして燃焼させたケースを示すが、タングステン棒は２〜３秒で溶融、気化した。【００８６】
実験に用いた板の大きさは下記の通り、
チタン板      ：１５ｍｍ×１５０ｍｍ×０．５ｍｍ（ｔ）
タンタル板    ：１５ｍｍ×１５０ｍｍ×１．０ｍｍ（ｔ）
タングステン棒：３．２ｍｍφ
である。これらはカットした試験片であり、実際は更に厚みのある板の切断が可能である。【００８７】
従来の水素ガスと酸素ガスの混合ガスの燃焼温度は、混合比により異なるが、１２００℃から２５００℃程度とされているから、タンタルやタングステンを溶融することはできない。今回の燃焼試験の温度は、それを１０００〜２０００℃上回る燃焼熱となっている。【００８８】
この、振動撹拌による電気分解により得られた水素と酸素からなるガスのものの燃焼温度は、約６００℃〜７００℃の比較的低温であるが、前記のようにその対象物によって高エネルギーを発揮できる。【００８９】
本発明の振動撹拌による電気分解により得られた水素と酸素からなるガスは空気中の酸素を消費せずともそのまま燃焼する。その結果、バーナーのガス放出口での燃焼発熱が小さく、上記燃焼試験直後に手で触れてもさほど熱くない。このことは、また振動撹拌による電気分解により得られた水素と酸素からなるガスの場合、従来の発熱型燃焼反応とは異なった機構で化学反応が起きていることを示唆しているものと言うことができる。【００９０】
（２）鋼板溶断試験のコスト比較
参考までに、振動撹拌による電気分解により得られた水素と酸素からなるガスとアセチレンガスをそれぞれ使用して鋼鈑（１２ｍｍ）を切断した場合のコスト比較を表１に示す。振動撹拌による電気分解により得られた水素と酸素からなるガスによれば、コストがアセチレンガスによる場合に比べて、半減できることがわかる。【００９１】
【表１】
0005583584.tif 000002
【００９２】
酸素使用に関しては、アセチレンガスの燃焼では市販の酸素ボンベの酸素を使用しており、振動撹拌による電気分解により得られた水素と酸素からなるガスの燃焼ではその成分である酸素が用いられている。【００９３】
成分を正確に特定するためには、専用の分析機器の開発も視野に入れる必要があったが、取りあえず超低温で液化が実現すれば、新しい分子の存在を裏付ける可能性があるので、−２６０℃まで冷却可能な特殊な専用冷却装置を開発製作して本発明の水素と酸素からなるガスの液化を行った。【００９４】
この液化装置には、ガスの冷却温度、圧力などがリアルタイムで表示、記録されるようになっており、特筆すべき特徴は装置下部に約４０ｍｍφの覗き窓があり、又その内部には液体を収納する約１５ｍｍφの透明ガラス管が設置されており、液化開始状況や液体の状態、色相などが肉眼でリアルタイムで装置外部の覗き窓から分るようになっている事である。【００９５】
肉眼で見る事により、新しいガスだけに圧力や温度だけのデータ解析でのミスを防ぐ狙いがあった。【００９６】
つぎに、本発明ガスのための新しい専用液化装置をつくり、単一の酸素ガスおよび単一の水素ガスのそれぞれについて下記の要領で予備液化試験を行った。【００９７】
〔１〕単一の酸素ガスの液化：
１）純酸素ガスを装置に流入させる前に、装置内部の冷却部を事前に−１５０℃に冷却しておいた。この冷却された装置内部に酸素ガスを０．２ＭＰａで、又ガス流入量を２００ｓｃｃ／ｍｉｎ（ｓｔａｎｄａｒｄ  ｃｃ／ｍｉｎ）として冷却温度を０．０１℃ずつ降下させて酸素の液化試験を行った。【００９８】
２）理論値どうり−１８３℃から酸素の液化が始まるのが、装置外部の覗き窓から目視でき、その液体は透明な薄い青色を呈していた。【００９９】
３）更に、温度を下げていくと、−２２５℃近辺から液体酸素の結晶が析出し始めて−２３０℃位では全体が結晶化するのが目視出来た。【０１００】
４）これらの確認後、徐々に温度を上昇させて酸素を完全に気化した。【０１０１】
〔２〕単一の水素ガスの液化：
１）酸素と同様に、事前に装置内部の冷却部を−２４０℃に設定し、水素ガスを０．２ＭＰａで、ガス流入量を２００ｓｃｃ／ｍｉｎとして、冷却温度を０．０１℃ずつ降下させて水素の液化試験を行ったところ、理論値どおり−２５２．５℃位から液化するのを覗き窓から目視できた。【０１０２】
２）液体の色相は、無色透明であった。【０１０３】
３）−２５５℃位まで温度を下げてから、徐々に温度を上昇させて全ての水素を気化させて予備試験を終えた。【０１０４】
〔３〕本発明の水素と酸素からなるガスの液化と再気化試験：
１）予備試験と同様に、事前に装置内部の冷却部を−１５０℃に冷却し、その後本発明の水素と酸素からなるガスを０．２ＭＰａの圧力で、又ガス流入量を２００ｓｃｃ／ｍｉｎとし、温度降下を０．０１℃ずつにして本発明の水素と酸素からなるガスを装置内部に流入させたところ、−１７８．８９℃で液化が始まり「無色透明の液体」であるのが目視出来た。【０１０５】
２）徐々に温度を下げて、液体酸素の結晶の析出が始まる−２２５℃でも液体のままで結晶の析出はなかった。【０１０６】
３）更に、温度を−２５５℃まで下げたが、液体のままで結晶は全く観察されなかった。【０１０７】
４）その後、徐々に温度を上昇させて本発明の水素と酸素からなるガスを気化させボンベ内に収納し、再気化したガスを燃焼させその火焔をチタン金属などに当てると瞬間的に金属が光り輝き気化するのを確認した。【０１０８】
〔４〕水素と酸素の混合ガスの液化試験：
１）本発明の水素と酸素からなる液状物またはガスは、水素と酸素の混合物とは異なることを明らかにする為に、以下のようにして市販の水素ガスと市販の酸素ガスとを混合し、上記と同様の方法で液化を行い、その液化温度を測定し、液化物の色を観察した。尚、このような試験を安全に行うことができたことは、主として圧力を適切に設定したことによるものと考えられ、この事実は１つの発見である。【０１０９】
２）予備試験と同様に、事前に装置内部の冷却部を−１５０℃に冷却し、その後、市販の水素ガスと市販の酸素ガスとを０．２ＭＰａの圧力で、又、ガス流入量を水素は２００ｓｃｃ／ｍｉｎ、酸素は１００ｓｃｃ／ｍｉｎに調整し、温度降下を０．０１℃ずつにして水素ガス及び酸素ガスを装置内部に流入させたところ、−１８２．５０℃で液化が始まり「酸素の液化の色である薄いブルーの液体」が目視出来た。【０１１０】
３）徐々に温度を下げて、液体酸素の結晶の析出が始まる−２２５℃でも液体のままで結晶の析出はなかった。【０１１１】
４）更に、温度を−２５０℃まで下げたが、液体のままで結晶は全く観察されなかった。【０１１２】
５）以上のことから、予想通り、本発明の水素と酸素からなる液状物またはガスは、水素と酸素の混合物とは異なることが証明された。【０１１３】
〔５〕水の電気分解から生成される水素と酸素からなるガスの液化と再気化：
前述のガス発生手段に限定せず、他のガス発生手段から生成されるガスにも液化と再気化が適用される。【０１１４】
〔６〕結論：
これらの実験を通して判明した本発明の水素と酸素からなる液状物またはガスの特徴は以下のとおりであり、水素と酸素との新しい化合物の存在を明示するものとして注目に値する。【０１１５】
ａ）液化温度は約−１７９℃で酸素よりも約４℃「高い温度」である。【０１１６】
ｂ）液体の色相は、「無色透明」である。【０１１７】
ｃ）−２５５℃の超低温でも「結晶化しない」。【０１１８】
ｄ）本発明の水素と酸素からなる液状物は、温度が液化温度より上昇すると気化が始まり、再気化したガスは気化前と同様のエネルギーを保持していると考えられる。【０１１９】
ｅ）従来から、水の電気分解から発生する酸素と水素とはそれらの混合ガスであると考えられていたが、上記の各種の試験から本発明の水素と酸素からなるガスは全く「新しい酸素と水素の結合」をなしている化合物であると考えられる。
【図１】
0005583584.tif 000003
【図２】
0005583584.tif 000004
【図３】
0005583584.tif 000005
【図４】
0005583584.tif 000006
【図５】
0005583584.tif 000007
【図６】
0005583584.tif 000008
【図７】
0005583584.tif 000009
【図８】
0005583584.tif 000010
【図９】
0005583584.tif 000011
【図１０】
0005583584.tif 000012
【図１１】
0005583584.tif 000013